(57)【要約】【課題】１つの収納空間で、抽斗と棚板を組み合わせて使用する形態を可能としながら、部材の共通化により部品点数の削減を図り、製造や在庫管理も効率化できる組立式収納家具の提供を目的とするものである。【解決手段】左右に配置された側板２（３）と、地板４及び天板５とにより枠体を構成し、当該枠体で囲まれる空間を収納空間とする組立式収納家具１であって、前記収納空間に１または複数の抽斗１０５を取り付けるための抽斗用取付部５１と、前記収納空間に１または複数の棚板１０３を取り付けるための棚板用取付部５２とが、上下に配置されて一体で形成された取付枠５０が、前記側板２（３）の内面に着脱可能に装着されるように構成したことにより、課題を解決する。【選択図】      図３
2004248992.tif 000002
【特許請求の範囲】
【請求項１】
左右に配置された側板と、地板及び天板とにより枠体を構成し、当該枠体で囲まれる空間を収納空間とする組立式収納家具であって、
前記収納空間に１または複数の抽斗を取り付けるための抽斗用取付部と、前記収納空間に１または複数の棚板を取り付けるための棚板用取付部とが、上下に配置されて一体で形成された取付枠が、前記側板の内面に着脱可能に装着されるように構成したことを特徴とする組立式収納家具。
【請求項２】
前記取付枠は、前記側板の内面の前側と後側に間隔をあけて各々装着され、前側及び後側の取付枠のうち少なくとも一方には、１つの抽斗の引き出し時に他の抽斗の引き出し動が不能となる二重引出防止装置を枠体に取り付けるための構造が設けられていることを特徴とする請求項１記載の組立式収納家具。
【請求項３】
前記左右に配置された各側板の内面の前側と後側に装着される取付枠のうち、左側板の前側用の取付枠は右側板の後側用の取付枠と交換可能であるとともに、左側板の後側用の取付枠は右側板の前側用の取付枠と交換可能であることを特徴とする請求項２記載の組立式収納家具。
【請求項４】
前記取付枠には、前記抽斗用取付部が棚板用取付部の下方に配置されていることを特徴とする請求項１から３のいずれかに記載の組立式収納家具。
【請求項５】
左右に配置された側板と、地板及び天板とにより枠体を構成し、当該枠体で囲まれる空間を収納空間とする組立式収納家具であって、
前記収納空間に１または複数の抽斗を取り付けるための抽斗用取付枠と、前記収納空間に１または複数の棚板を取り付けるための棚板用取付枠とが上下に配置されて前記側板の内面に着脱可能に装着されるように構成したことを特徴とする組立式収納家具。
【発明の詳細な説明】
【０００１】
【発明の属する技術分野】
本発明は、組立式収納家具の構成に係り、より詳しくは、左右に配置された側板と、地板及び天板とで構成した枠体で囲まれた空間を収納空間とする組立式収納家具の構造に関するものである。
【０００２】
【従来の技術】
従来、組立式収納家具として、収納空間の内部に抽斗を備えたものや棚板を備えたものが知られている。このような組立式収納家具で、抽斗を取り付けるためには、抽斗を支持するレールを取り付けるための構造が必要であり、また、棚板を取り付けるには、棚板を支持するための構造が必要となる。そして、これらの構造は、その機能が異なるため共用化が困難であった。
【０００３】
この課題を解決するために、例えば特許文献１では、収納庫本体の側板の内面前後に上下に延びる補強枠を配置し、棚板用の取付穴が形成された棚板用取付枠と、抽斗用レールの取付穴が形成された抽斗用取付枠とを選択的に取り付けられるようにしている。これにより、特許文献１では、抽斗用と棚板用の収納庫本体を共通化し、製造や在庫管理の効率化を図っている。
【０００４】
【特許文献１】
特開２００２−４５２５０号公報（図４、図５参照）
【０００５】
【発明が解決しようとする課題】
特許文献１では、抽斗用取付枠と棚板用取付枠とを選択的に取り付けられるようにしているため、収納庫を抽斗付の収納庫、あるいは棚板付の収納庫として、それぞれ別個に利用することはできる。しかしながら、特許文献１の構成では、収納庫本体の共通化を図っているものの、１つの収納庫（収納空間）に抽斗と棚板を組み合わせて使用することができなかった。
【０００６】
本発明は、この課題を解消し、１つの収納空間（収納庫）で、抽斗と棚板を組み合わせて使用する形態を可能としながら、部材の共通化により部品点数の削減を図り、製造や在庫管理も効率化できる組立式収納家具の提供を目的とするものである。
【０００７】
【課題を解決するための手段】
前記目的を達成するために、請求項１に記載の発明の組立式収納家具は、左右に配置された側板と、地板及び天板とにより枠体を構成し、当該枠体で囲まれる空間を収納空間とする組立式収納家具であって、前記収納空間に１または複数の抽斗を取り付けるための抽斗用取付部と、前記収納空間に１または複数の棚板を取り付けるための棚板用取付部とが、上下に配置されて一体で形成された取付枠が、前記側板の内面に着脱可能に装着されるように構成したことを特徴とするものである。
【０００８】
また、請求項２に記載の発明は、請求項１記載の組立式収納家具において、前記取付枠は、前記側板の内面の前側と後側に間隔をあけて各々装着され、前側及び後側の取付枠のうち少なくとも一方には、１つの抽斗の引き出し時に他の抽斗の引き出し動が不能となる二重引出防止装置を枠体に取り付けるための構造が設けられていることを特徴とするものである。
【０００９】
また、請求項３に記載の発明は、請求項２記載の組立式収納家具において、前記左右に配置された各側板の内面の前側と後側に装着される取付枠のうち、左側板の前側用の取付枠は右側板の後側用の取付枠と交換可能であるとともに、左側板の後側用の取付枠は右側板の前側用の取付枠と交換可能であることを特徴とするものである。
【００１０】
また、請求項４に記載の発明は、請求項１から３のいずれかに記載の組立式収納家具において、前記取付枠には、前記抽斗用取付部が棚板用取付部の下方に配置されていることを特徴とするものである。
【００１１】
そして、請求項５に記載の発明の組立式収納家具は、左右に配置された側板と、地板及び天板とにより枠体を構成し、当該枠体で囲まれる空間を収納空間とする組立式収納家具であって、前記収納空間に１または複数の抽斗を取り付けるための抽斗用取付枠と、前記収納空間に１または複数の棚板を取り付けるための棚板用取付枠とが上下に配置されて前記側板の内面に着脱可能に装着されるように構成したことを特徴とするものである。
【００１２】
【発明の実施の形態】
以下、本発明の実施の形態について図面に基づいて説明する。図１（ａ）及び（ｂ）は本発明の組立式収納家具の平面図、図２は天板、地板、外側板、端用連結部材の各部品の斜視図、図３は一対の外側板を対向して配置した場合の断面図、図４（ａ）は天板の断面図、図４（ｂ）は地板の断面図、図５は取付枠の取り付けを示す斜視図、図６（ａ）は抽斗用のレールの取り付けを示す斜視図、図６（ｂ）は抽斗用のレールの取り付けを示す要部断面図、図７（ａ）は中間棚板の取り付けを示す斜視図、図７（ｂ）は中間棚板の取り付けを示す要部断面図、図８（ａ）は二重抽斗防止装置の平面図、図８（ｂ）は二重引出防止装置の断面図、図９（ａ）は他の抽斗が押し込み状態で、１つの抽斗を引き出し始める状態の作用説明図、図９（ｂ）は１つの抽斗の抽斗量が増大した状態の作用説明図、図１０は縦仕切板の取り付けを示す斜視図、図１１（ａ）、（ｂ）及び（ｃ）は組立式収納家具を応用した形態の平面図、図１２は組立式収納家具を応用した形態の平面図、図１３は中側板により増連した組立式収納家具の平面図、図１４は天板、地板、外側板、中側板、端用連結部材、増連用連結部材の各部品の斜視図、図１５は枠体を左右に増連した状態における外側板及び中側板の断面図である。
【００１３】
図１（ａ）及び（ｂ）に示すように、本発明に係る組立式収納家具１（以下、単に収納家具１という）は、左右に配置された外側板（請求項の側板に相当）２、２と、地板４及び天板５とを互いに直交するように、端用連結部材６を介して着脱自在に連結して枠体を構成し、この枠体で囲まれる空間を収納空間としたものである。この一対の外側板２、２、各１枚の地板４及び天板５とで構成された収納家具１を単位組立式収納家具と記載する。なお、この収納家具１は後述する中側板３を用いることで増連可能であるので、本発明における側板とは、外側板２及び中側板３の両者を含むものとする。
【００１４】
本発明の収納家具１は、図１（ａ）（ｂ）に示すように、収納空間に抽斗や棚板や扉等を組み合わせて様々な形態を構成することができるものである。図１（ａ）に例示する収納家具１は、一対の外側板２，２、及び各１枚の地板４及び天板５で構成された枠体内に水平に配置された構造棚板８によって、収納空間が上下に仕切られている。そして、上方の収納空間は、前面に開閉扉１１０が取り付けられ、その内部に中間棚板１０３が２段に取り付けられている。下方の収納空間には、抽斗１０５が２段取り付けられ、抽斗１０５の鏡板が前面に配置されている。図１（ｂ）に例示する収納家具１は、図１（ａ）と同様の枠体内に平行に２枚の構造棚板８、８を配置して、これらに挟まれた収納空間を前後に開放した開放収納空間８１とするとともに、開放収納空間８１の上方には引き戸１１１を取り付け、  さらにその内部に中間棚板１０３を１段取り付けている。また、開放収納空間８１の下方には抽斗１０５を２段取り付け、抽斗１０５の鏡板が前面に配置されている。
【００１５】
本実施形態では、外側板２、地板３及び天板４は薄い金属板を折り曲げるなどして平面視矩形状に形成されており、各板２〜４の幅寸法Ｄは収納家具１の奥行き寸法Ｄ（図２参照）と同じに設定されている。また、端用連結部材６は、環境に配慮したオレフィン系のＰＥＴ樹脂（ポリエチレンテレフタレート）やアルミダイカスト等からなる一体成形品であり、端用連結部材６の長さ寸法も収納家具１の奥行き寸法Ｄと同じに設定されている。地板４及び天板５の長さ寸法Ｗは、単位組立式収納家具の間口方向寸法Ｗと略等しく（若干短く）設定される（図２参照）。外側板２の長さ寸法Ｈは、単位組立式収納家具の高さ寸法Ｈに略等しく（若干短く）形成される。
【００１６】
外側板２の基本形は、図３に示すが、外側板２の外面を構成する広幅の平板１０の上下方向に沿って伸びる前後縁片を内方向へ断面コ字状に折り曲げた屈曲部１０ａを設ける。他方、平板１０の内面にスポット溶接して固定する金属板製の前後端補強枠１３は平板１０の上下方向に沿って延び、断面Ｌ字状に屈曲された高さ寸法（Ｌ１）の低い端部１４が前記屈曲部１０ａに添設され、前記端部１４の奥側（収納家具１の奥行き方向の内方）にて高さ寸法（Ｌ２）の大きい段付部１５が折り曲げ形成されて、前端段部１１と後端段部１２には略Ｌ字状で中空の嵌合部が形成される。低い端部１４の奥行き寸法はＤ１となっている。この前端段部１１と後端段部１２は前記端用連結部材６の一部が嵌まり込むよう中空状の端嵌合部に形成されるものであって、補強部と兼用される。前後補強枠１３には、補助嵌合部１８が一体形成されている。
【００１７】
また、前記平板１０の内面の略中央部には、収納家具１の奥行き方向に長い断面コ字状の中央補強枠１６を収納家具１の高さ方向に伸びるように添設してスポット溶接にて固定し、該中央補強枠１６と平板１０とで囲まれた中空状の中央嵌合部１７が構成されている。また、中央補強枠１６にはその両端縁片を断面コ字状に屈曲させた段部１６ａ、１６ａが中央嵌合部１７と間隔をあけて一体で形成されており、中央嵌合部１７と段部１６ａとの間に窪み部１６ｂ、１６ｂがそれぞれ形成されている。これにより、中央嵌合部１７と段付部１５との間には、深さ寸法がＬ４の凹所が形成され、この凹所の中間部には、段部１６ａ、補助嵌合部１８が凸形状となって含まれている。すなわち、外側板２の内面には、前側と後側に深さ寸法Ｌ４の凹所が２箇所形成されている。
【００１８】
この外側板２は、前後端段部１１、１２も同じ寸法であり、収納家具１の奥行き方向に対称形状であるので、事実上、上下左右両側の部分に共用できるものである。
【００１９】
地板４及び天板５の基本形は、図４（ａ）（ｂ）に示すように、それぞれ広幅の平板１０の前後側縁に沿って断面略Ｌ字状の前後端段部１１、１２が形成されている。この前端段部１１と後端段部１２は前記端用連結部材６の一部が嵌まり込むよう中空状の端嵌合部に形成されるものであって、補強部と兼用される。すなわち、外側板２、地板４及び天板５の外面を構成する平板１０の間口方向に沿って延びる前後端縁片を内方向に断面コ字状に折り曲げた屈曲部１０ａを設ける。他方、平板１０の内面にスポット溶接して固定する金属板製の前後端補強枠１３は平板１０の間口方向に沿って延び、断面Ｌ字状に屈曲された高さ寸法（Ｌ１）の低い端部１４が前記屈曲部１０ａに添設され、前記端部１４の奥側（収納家具１の奥行き側の内方）にて高さ寸法（Ｌ２）の大きい段付部１５が折り曲げ形成されている。従って、前端段部１１と後端段部１２には略Ｌ字状で中空の嵌合部が形成される。低い端部１４の奥行き寸法はＤ１となっている。前後補強枠１３には、補助嵌合部１８が一体形成されている。
【００２０】
また、前記平板１０の内面の略中央部には、家具の奥行き方向に長いコ字状の中央補強枠１６を家具の間口方向に延びるように添設してスポット溶接にて固定し、該中央補強枠１６と平板１０とで囲まれた中空状の中央嵌合部１７を構成する。地板４及び天板５は同一形状であり、且つ前後端段部１１、１２も同じ寸法であり、収納家具１の奥行き方向にも対称形状であるので、事実上、上下左右に反転させて共用できるものである。
【００２１】
そして、地板４には、中央嵌合部１７と段付部１５との間に形成されている凹所を覆うように取付枠２９を嵌め込んで、地板４の上面を平坦化することもできる。
【００２２】
端用連結部材６は、図２に示すように、断面略矩形の基体３０がＤの長さを有して奥行き方向に延びている。基体３０の前後両端部には、それぞれ第１端嵌入片３１ａ、３１ｂと、第２端嵌入片３２ａ、３２ｂと、中央嵌入片３３ａ、３３ｂとが互いに直交する方向に突出するように設けられている。
【００２３】
断面Ｌ字状の第２端嵌入片３２ａ、３２ｂは地板４及び天板５における前後端の断面Ｌ字状で中空の嵌合部を有する前端段部１１と後端段部１２にそれぞれ左右方向（間口方向）から嵌入できるものである。
【００２４】
断面Ｌ字状の第１端嵌入片３１ａ、３１ｂは外側板２における前後端の略Ｌ字状で中空の嵌合部を有する前端段部１１と後端段部１２にそれぞれ嵌入できるものである。
【００２５】
中央嵌入片３３ｂは、地板４及び天板５における中央嵌合部１７に対して横方向からきっちりと嵌入できるものであり、他方の中央嵌入片３３ａは外側板２における中央嵌合部１７に対して上下方向からきっちり嵌入できるものである。
【００２６】
次に、外側板２の内面に取り付けられる取付枠５０について説明する。取付枠５０は図５に示すように２種類あり、これら取付枠５０ａ、５０ｂはいずれも、１または複数の抽斗１０５を取り付けるための抽斗用取付部５１と、１または複数の中間棚板１０３を取り付けるための棚板用取付部５２とが一体で形成されており、抽斗用取付部５１が棚板用取付部５２の下方に配置されている。そして、一方の取付枠５０ａは、その抽斗用取付部５１と棚板用取付部５２とが同一幅に形成され、かつ断面略コ字状の形状で全体が上下方向に細長く形成されている。他方の取付枠５０ｂでは、上方の棚用取付部５２は取付枠５０ａとは同一断面形状であるが、下方の抽斗用取付部５１は細幅に形成されている。取付枠５０ｂには、抽斗用取付部５１に沿って上下に長く矩形に切り取られた切り欠き部５３が形成されており、この切り欠き部５３が、１つの抽斗の引き出し時に他の抽斗の引き出し動を不能とする二重引出防止装置６０を外側板２に取り付けるための構造となっている。なお、この二重引出防止装置６０の詳細な説明は後述するが、抽斗１０５の左右の側板のいずれか一方に設ければよく、この実施の形態では、抽斗１０５の鏡板側から見て右側の側板の前寄りに取り付けるものとする。
【００２７】
取付枠５０に設けられている抽斗用取付部５１は、図６（ａ）（ｂ）に示すように、抽斗１０５の左右に摺動自在に嵌合する固定レール１０７が取り付けられる。固定レール１０７には、収納空間の外側後方（抽斗１０５の引き出し方向が前方となる）に開くように突出する係止片１０８が前後２箇所に設けられているため、抽斗用取付部５１には、係止片１０８を後方に向かってきっちり差し込むことのできる矩形のレール用孔１０６が穿設されている。そして、抽斗用取付部５１には、抽斗１０５を多段に配置するために、レール用孔１０６が適宜間隔を空けて上下方向に複数設けられている。但し、取り付け方法はこれに限定されるものではない。
【００２８】
取付枠５０に設けられている棚板用取付部５２は、図７（ａ）（ｂ）に示すように、係止孔１０２が適宜間隔で上下に穿設されている。係止孔１０２には、中間棚板１０３を支えるための棚板受け具１０４が差し込まれるが、この棚板受け具１０４は先端が屈曲した略Ｌ字状を呈しており、略Ｌ字状の一端が係止孔１０２に上向きに差し込まれる。そして、略Ｌ字状の受け面に、中間棚板１０３の端部が嵌め込まれて支持されるようになっている。
【００２９】
このように形成された取付枠５０ａ、５０ｂのうち、取付枠５０ａは、右外側板２の後側の凹所と、左外側板２の前側の凹所の双方に装着される。また、取付枠５０ｂは右外側板２の前側の凹所と、左外側板２の後側の凹所の双方に装着される（図３及び図５参照）。詳細に説明すると、右外側板２においては、取付枠５０ａは、後端段部１２の段付部１５と中央補強枠１６との間に形成された凹所に、段部１６ａと補助嵌合部１８の凸形状を覆うように嵌め込まれる。取付枠５０ｂは、前端段部２２の段付部１５と中央補強枠１６との間に形成された凹所に、上方の棚用取付部５２が段部１６ａと補助嵌合部１８の凸形状を覆うように嵌め込まれ、下方の抽斗用取付部５１が補助嵌合部１８の凸形状を覆うように嵌め込まれる。これにより、取付枠５０ｂの抽斗用取付部５１では切り欠き部５３によって、外側板２の窪み部１６ｂの下方を露出させている。左外側板２では、右外側板２と前後を変えて取付枠５０が嵌め込まれる。そして、右外側板２の取付枠５０ｂの切り欠き部５３の構造を利用して、二重引出防止装置６０が右外側板２に取り付けられる。なお、取付枠５０にはネジ止め用の係止孔５４（図５参照）が設けられており、外側板２もしくは端用連結部材６に形成されたネジ孔にネジ止め固定される。
【００３０】
二重抽斗防止装置６０の取り付けでは、抽斗１０５の引き出し方向に応じて、２箇所の取付枠５０ｂのうちの一方が利用される。図３のように矢印Ａが抽斗１０５の引き出し方向となる場合には、右外側板２の前側の窪み部１６ｂが、二重抽斗防止装置６０の取り付け位置となる。
【００３１】
抽斗１０５は、前記固定レール１０７を含むサスペンションレールによって、取付枠５０の抽斗用取付部５１に前後移動自在に懸架される。サスペンションレールとしては、図９（ａ）（ｂ）に示すように、抽斗用取付部５１に着脱自在に取り付けられる前記固定レール１０７と、固定レール１０７の内側に複数のコロを介して前後動自在に嵌挿された中間レール１０７ｂと、抽斗１０５の左右側板から突出する断面Ｌ字状の抽斗レール（図示していない）とからなり、この抽斗レールは、中間レール１０７ｂに設けられた複数のコロを介して前後移動自在に支持されている。
【００３２】
各抽斗１０５の左右両側板から左右両外向きに突出するストッパ体７５は、その下面が側面視において前下がりの傾斜状となる下傾斜面７５ａを備えるように金属板を屈曲形成したものである。また、側面視への字状の押し上げ体７６は、前記ストッパ体７５の下方位置にて前記金属板に一体的に形成されている。
【００３３】
二重引出防止装置６０は図８（ａ）に示すような縦杆６１が、前記切り欠き部５３から露出した窪み部１６ｂに沿って上下に配置され、各段の抽斗１０５における固定レール１０７の側面と直角方向に交差する。
【００３４】
図８（ａ）に示すように、ロック体６２と、第１傾斜案内面６４と第２傾斜案内面６５とを有する案内体６３と、落下防止片６６とは、断面コ字状の基体６７の内面に一体的に形成されたものであり、ポリアセタール樹脂等の合成樹脂の射出成形品である。そして、前記断面コ字状の基体６７の内面には、係合爪６８を突設し、この係合爪６８を縦杆６１の所定間隔ごとに突設された係止孔（図示せず）に嵌め入れ、縦杆６１の外周を基体６７にて包囲するようにして装着する。
【００３５】
図８（ａ）に示すように、ロック体６２の上面は、抽斗１０５の引き出し方向に行くに従って低くなるように形成された当接傾斜面６９を有している。また、案内体６３は引き出し方向に行くに従って下がる第１傾斜面６４と該第１傾斜面６４の下端に連設された水平状の安定面７０と、該安定面７０の前端に連設し、抽斗１０５の引き出し方向に行くに従って高くなる第２傾斜面６５とを備えた横長状の形状である。
【００３６】
さらに、図８（ｂ）に示すように、基体６７の外周面には、前記窪み部１６ｂの内面に摺接する縦長のスライダ条７１が複数突設されている。この構成により、金属製の窪み部１６ｂと縦杆６１とが直接摺接することなく、縦杆６１の上下動時に静かにかつ滑らかに動き得るものである。他方、前記各段の固定レール１０７の上面前後方向中途部には、中間レール１０７ｂの上面が開放される切り欠き部７２を有し、中間レール１０７ｂの上面７３の前後方向中途部には、中間レール１０７ｂの適宜深さ寸法だけ落ち込む平坦底面７４ａと前記上面７３に連通する前後の傾斜面７４ｂ、７４ｃとからなる落ち込み部７４を備える。
【００３７】
そして、前記各段における落下防止片６６は、固定レール１０７の切り欠き部７２の箇所から中間レール１０７ｂの上面に臨むように配設され、かつ各抽斗１０５が収納家具１に対して押し込み状態のとき、落下防止片６６が平坦底面７４ａに対して当接する状態で嵌まり込んでいる（図示していない）。また、各抽斗１０５を前向き移動（引き出し動）するにつれて、中間レール１０７ｂが前に移動するとき、押し上げ体７６が案内体６３における第１傾斜案内面６４に先に摺接して基体６７を介して縦杆６１ひいては落下防止片６６を徐々に引き上げる（押し上げる）ため、当該落下防止片６６が前記中間レール１０７ｂの落ち込み部７４における平坦底面７４ａから後の傾斜面７４ｃに当接しない状態にて中間レール１０７ｂの上面７３の箇所まで移動するように構成されている（図９（ａ）参照）。
【００３８】
一つの段の抽斗１０５を引き出し動するとき、その押し上げ体７６が案内体６３における水平な安定面７０に当接して縦杆６１を押し上げ上昇させると、前記落下防止片６６の下端は、中間レール１０７ｂの上面７３の箇所に摺接可能となり、次いで、押し上げ体７６が案内体６３における水平な安定面を超えて前方に移動すると、押し上げ体７６による案内体６３を介しての縦杆６１の上昇駆動が解除されるが、落下防止片６６が中間レール１０７ｂの上面７３に摺接しているので、縦杆１１の上昇位置が保持される（図９（ｂ）の上段の抽斗参照）。
【００３９】
従って、他の段における押し込み状態の抽斗１０５（図９（ｂ）の下段の抽斗参照）の側面におけるストッパ体７５の前面に、ロック体６２の後面が位置することになり、その段の抽斗１０５の引き出し動を阻止することができ、二重引き出しを防止して、収納家具１の引き出し方向への転倒を阻止することができる。
【００４０】
また、一旦引き出した１つの抽斗１０５の押し込み動にて、当該押し込み抽斗１０５におけるストッパ体７５の下傾斜面７５ａが、前記上昇したロック体６２の当接傾斜面６９の上を通過するとともに、案内体６３の下面側を押し上げ体７６が通過し、当該押し上げ体７６と案内体６３との干渉が外れた状態で、且つ後退する中間レール１０７ｂにおける落ち込み部７４上に落下防止片６６が位置すれば、縦杆６１が所定寸法だけ下方移動して下方位置に保持され、元の状態に戻る。
【００４１】
次に、構造棚板８について説明する。この構造棚板８は、前記中間棚板１０３とは異なり、枠体で囲まれた収納空間を上下に仕切り、この仕切られた収納空間の前面や背面に、構造棚板８の前端縁部や後端縁部を利用して抽斗１０５の鏡板や、開閉扉１１０、引き戸１１１、背面板１１２等を取り付けることができるものである。
【００４２】
構造棚板８の基本形は金属板の平板からなり、図１０に示すように、平板の広幅は寸法がＤ３（Ｄ３＝Ｄ−Ｄ１）で、その中央部の長さ寸法が地板４及び天板５の長さ寸法Ｗと等しく形成されている。この構造棚板８には、前端縁に沿って間口方向に延びるように、略Ｔ字状の前端縁部８２が設けられている。この前端縁部８２は構造棚板８の間口方向に沿って延びる高さ寸法Ｌ１の低い端部と、該端部の奥側（収納家具の奥行き側の内方）にて高さ寸法Ｌ３（＞Ｌ２）の大きい段付き部とにより形成されている。低い端部の奥行き寸法は、構造棚板８の上下面でいずれもＤ１となっている。
【００４３】
一方、構造棚板８の後端縁部８３は高さ寸法がＬ３であるが、後端縁部８３の後端面に設けられたスリットに、高さ寸法Ｌ１の形状を備える断面略Ｔ字状の後端縁部材を左右に挿入することによって、後端縁部８３が前端縁部８２と同様の略Ｔ字状に形成できるよう構成されている。すなわち、枠体の後端面に背面板１１２（図２参照）を取り付ける場合には、後端縁部材は不要であるが、後端面側（図１３参照）に抽斗１０５や開閉扉１１０等を設ける場合には、オプショナルに後端縁部材が後端縁部８３のスリットに挿入される。
【００４４】
この構造棚板８の奥行き方向に沿う両側縁には、下向きに折曲げた側面に係止溝が切り欠き形成されているので（図１０には図示していない）、この係止溝を取付枠５０に設けられたねじ穴に一致させてねじ止めすることで、構造棚板８は固定される。
【００４５】
この構造棚板８の上面は、図１０に示すように凹凸が設けられているが、図４（ｂ）に示す地板４と同様にオプショナルな取付枠２９を用いることで、平坦面に形成することもできる。
【００４６】
次に、縦仕切板９０について説明する。この縦仕切板９０は、図１０に示すように、収納空間を左右に仕切る場合に用いられ、この左右に仕切られた収納空間の前面や背面に、縦仕切板９０の前端縁部や後端縁部を利用して抽斗１０５の鏡板や、開閉扉１１０、引き戸１１１、背面板１１２等を取り付けることができるものである。縦仕切板９０は、構造棚板８と天板５、または構造棚板８と地板４、または構造棚板８と構造棚板８、または天板５と地板４とで上下を挟まれた収納空間、もしくは前後に開放する開放収納空間８１を左右に仕切るように用いられる。
【００４７】
この縦仕切板９０の基本形は金属板の平板からなり、図１０に示すように、平板の広幅は寸法がＤ３（Ｄ３＝Ｄ−Ｄ１）で、長さ寸法Ｈ２は、希望する収納空間（または開放収納空間）の高さに応じて、複数ある長さの異なるオプションの中から適宜選択できるようにしている。
【００４８】
縦仕切板９０の前端縁に沿って上下に延びるように略Ｔ字状の前端縁部９４が設けれらており、この前端縁部９４は、高さ寸法Ｌ１の低い端部と、その奥側に高さ寸法Ｌ２の大きい段付き部が設けられ、縦仕切板９０の表裏では、高さ寸法Ｌ３（Ｌ３＞Ｌ２）となる。低い端部の奥行き寸法は、縦仕切板９０の表裏面でいずれもＤ１となっている。
【００４９】
縦仕切板９０の後端縁部９５は、高さ寸法Ｌ３であるが、後端縁部９５の後端面に設けられたスリットに、高さ寸法Ｌ１の形状を備える断面略Ｔ字状の後端縁部材を上下に挿入することによって、後端縁部９５が前端縁部９４と同様の略Ｔ字状に形成できるよう構成されている。この後端縁部材は、構造棚板８の後端縁部材と同様にオプショナルに挿入される。
【００５０】
この縦仕切板９０の表裏面には、２箇所ずつ（計４箇所）の上下に延びる凹所が形成されている。そして、この凹所には、抽斗用取付部５１を備え縦仕切板９０に応じた長さ寸法の取付枠５０ｄ、５０ｄ´を装着することができる。取付枠５０ｄは、二重抽斗防止装置６０を縦仕切板９０に取り付ける場合に適応させて、取付枠５０ｄ´よりも全体が細幅に形成されている。これらの取り付け方は、取付枠５０ａ、５０ｂの下方（抽斗用取付部５１）の取り付け方に準じる。縦仕切板９０に取り付けられる取付枠は、抽斗用取付部５１を備える取付枠５０ｄ、５０ｄ´以外にも、オプショナルに複数用意されており、交換可能に取り付けられる。
【００５１】
次に、このように構成された本発明の収納家具１の組立方法について説明する。
【００５２】
まず、図２に示すように、外側板２の上下位置において、地板４及び天板５とを組むため、地板４及び天板５における間口方向の両側に、端用連結部材６を奥行き方向に基体３０が延びるように並べる。次いで、端用連結部材３０の横向きの第２端嵌入片３２ａ、３２ｂを地板４及び天板５における前後端の略Ｌ字状で中空の嵌合部を有する前端段部１１と後端段部１２にそれぞれ横方向（間口方向）から嵌入するとともに、中央嵌入片３３ｂを地板４及び天板５における中央嵌合部１７に対してそれぞれ横方向から嵌入する。
【００５３】
次いで、地板４における両側の端用連結部材６では、それぞれ上向きの各第１端嵌入片３１ａ、３１ｂに対して、外側板２における前端縁部１１と後端縁部１２の下側の嵌合部を嵌合し、同様に上向きの中央嵌入片３３ａに対して外側板２における中央嵌合部１７の下側を嵌合させる。また、天板５における両側の端用連結部材６では、それぞれ下向きの各第１端嵌入片３１ａ、３１ｂに対して、外側板２における前端縁部１１と後端縁部１２の上側の嵌合部を勘合し、同様に下向きの中央嵌入片３３ａに対して外側板２における中央嵌合部１７の上側を嵌合させる。
【００５４】
このようにして、外側板２、２、地板４、天板５を端用連結部材６により組み立てた後、締着ネジ（図示していない）にて、外側板２、地板４、天板５の各中央補強枠１６と中央嵌入片３３ｂとを固定する。
【００５５】
次に、外側板２、２の内面に取り付けるための取付枠５０ａ、５０ｂが２つずつ用意される。そして、抽斗１０５の引き出し方向（図３の矢印Ａ）を前側とすると、取付枠５０ａが、左外側板２の前側の凹所と、右外側板２の後側の凹所に取り付けられ、取付枠５０ｂが、左外側板２の後側の凹所と、右外側板２の前側の凹所に取り付けられる（図３及び図５参照）。各取付枠５０は、取り付け後に係止孔５４を用い、締着ネジにて外側板２に固定される。または、凹所に対し各取付枠をネジを使わず嵌合（きつい嵌合）のみで取り付ける場合もある。
【００５６】
同一の外側板２の内面に配置される前側と後側の取付枠５０では、図５に示すように、取付枠５０に穿設される抽斗用取付部５１のレール用孔１０６及び棚板用取付部５２の係止孔１０２の奥行き方向の位置が異なる。また、切り欠き５３により全体の形状もことなっている。そのため、同一の外側板２の前側と後側では取付枠５０を共用することができないが、本発明のように対向する外側板２、２の内面どうしで、取付枠を、側板に対する取付位置の前後を変えて（たすき掛け状に）で交換するように構成することで、取付枠５０の共用化が図れ、取付枠の種類を少なくして収納家具１の部品点数の削減ができる。
【００５７】
次に、右外側板２の前側で、取付枠５０ｂにより露出している窪み部１６ｂに、二重引出防止装置６０の基体６７のスライダ条７１が摺接するように取り付けられる（図３参照）。仮に、抽斗１０５の引き出し方向を矢印Ａと反対側にする場合には、二重抽斗防止装置６０を図３の左外側板２の後側の窪み部１６ｂに付け替えるだけでよいため、取付枠５０の交換や取り外しは全く不要である。
【００５８】
二重引出防止装置６０では、あらかじめ抽斗の段数と位置に対応させて、縦杆６１に基体６７が取り付けられ、また各抽斗１０５の側板には、ストッパ体７５が取り付けられている。そして、外側板２の下方ではそれぞれ、前後に配置された抽斗用取付部５１、５１のレール用孔１０６，１０６に、係止片１０８を後方に押し込むように固定レール１０７が差し入れられる。そして、中間レール１０７ｂと抽斗レールを介して抽斗１０５が取り付けられる。
【００５９】
また、外側板２の上方では、４箇所の棚板用取付部５２で、希望の高さの係止孔１０２に棚板受け具１０４が差し込まれて、これに中間棚板１０３が載置されて取り付けられる。
【００６０】
このように抽斗１０５が取り付けられた収納空間には、その前面に鏡板が配置され、中間棚板１０３が取り付けられた収納空間には、開閉扉１１０や引き戸１１１が取り付けられたりする（中間棚板１０３が取り付けられていない収納空間に開閉扉１１０等を取り付けてもよい）。本発明の外側板２、２、地板４、天板５、構造棚板８、縦仕切板９０では、前端縁部１１、８２、９４、または後端縁部１２、８３、９５によって、いずれの組み合わせによっても奥行き寸法Ｄ１の囲み枠がそれぞれ形成できる。そのため、寸法Ｄ１に略等しい厚さの開閉扉１１０や引き戸１１１、あるいは抽斗１０５の鏡板を取り付けても、これらが前端面もしくは後端面から突出しないように配置することができるので、外観をすっきりさせる効果が得られる。
【００６１】
また、一般的に、抽斗１０５及び中間棚板１０３は、収納された物品の見易さや取り出し易さを、それぞれの構造に基づいて考慮すると、抽斗１０５は収納空間の下方に配置される方が扱いやすく、中間棚板１０３は収納空間の上方に配置される方が扱いやすい。そのため、本発明では、取付枠５０ａ、５０ｂとして、あらかじめ抽斗用取付部５１を下方に配置し、棚板用取付部５２を上方に配置して一体化した形態としている。この形態とすることで、１つの収納空間１に、抽斗と棚板の双方を備えることができるとともに、その使い易さを損なうことなく汎用性の高い取付枠５０を提供することができるという効果が得られる。もちろん、必要に応じて、抽斗用取付部５１を上方に棚板用取付部５２を下方に配置して一体化した取付枠を形成してもよいことは言うまでもない。
【００６２】
また、収納家具１では、取付枠５０（５０ａ、５０ｂ）に加えて、その他の形態の取付枠を組み合わせて、図１（ａ）（ｂ）に示す以外にも収納空間を自由に応用して利用することができる。
【００６３】
例えば図１１（ａ）では、左右一対の外側板２、２と、各１枚の地板４及び天板５で構成された枠体の下方に、２段２列に抽斗１０５を設け、枠体の上方は、左右が独立した空間としてそれぞれに開放扉１０６を設けている。この形態では、左右の外側板２、２に図５と同様に取付枠５０を取り付け、さらに構造棚板８で上下に仕切り、この上下の収納空間それぞれに縦仕切板９０を取り付けている。そして、下方の収納空間の縦仕切板９０には、表裏の４箇所の凹所に抽斗用の取付枠５０ｄ（図１０参照）が取り付けられて、左右各２段の抽斗１０５が取り付けられる。上方の収納空間では、縦仕切板９０の表裏４箇所の凹所に、その長さ寸法に応じた中間棚板用の取付枠が取り付けられる。そして、左右各２段の中間棚板１０３が取り付けられて、前面にそれぞれ開閉扉１１０が取り付けられている。
【００６４】
また、この他に図１１（ｂ）に示すように、枠体の下方の収納空間を左右に独立させ、一方に２段の抽斗１０５を、他方に中間棚板１０３を備えて開閉扉１１０を設けた形態でもよい。この形態では、左右の外側板２，２のうち左外側板２の内側にのみ取付枠５０ａ、５０ｄを取り付け、右外側板２には、上下ともに棚板用取付部５２が配置された取付枠が取り付けられている。そして、この収納空間を構造棚板８で上下に仕切り、下方の収納空間に縦仕切板９０を取り付けている。縦仕切板９０では表裏４箇所の凹所のうち、一方の面（図中左側）の２箇所の凹所には、抽斗用の取付枠５０ｄ（図１０参照）を取り付け、他方の面（図中右側）の２箇所の凹所には、縦仕切板９０に応じた長さの中間棚板用の取付枠が取り付けられている。
【００６５】
また、この他に図１１（ｃ）に示すように、枠体を左右に仕切り、左側の上方に中間棚板１０３を備えて開閉扉１１０を設け、左側の下方には２段の抽斗１０５を設けるとともに、右側は、中間棚板１０３を備えた開閉扉１１０のみとした形態でもよい。この形態では、外側板２と略同じ長さ寸法の縦仕切板９０を用いて、収納空間を左右に仕切り、左外側板２の内側にのみ取付枠５０ａ、５０ｄを取り付け、右外側板２には、上下ともに棚板用取付部５２が配置された取付枠が取り付けられている。縦仕切板９０には、表裏４箇所の凹所に、その長さ寸法に応じた取付枠が取り付けられるが、これら取付枠によって、図中左側の収納空間の上方に中間棚板１０３、その下方に抽斗１０５、図中右側の収納空間すべてに中間棚板１０３を取付できるものが選択される。そして、図中左側の収納空間には、図１０に示す構造棚板８の約半分の長さ寸法（Ｗ／２）の構造棚板８ａがを取り付けられる。
【００６６】
さらに、この他に図１２に示すように、枠体で構成された収納空間を、その前面と後面の双方から使用できるようにした形態でもよい。この形態では、左右の外側板２、２に図５に示すように取付枠５０ａ、５０ｂをそれぞれ取り付けて、上方に中間棚板１０３を、下方に抽斗１０５を取り付けているが、上方に配置した開放扉１１０の開閉方向と、下方に配置した抽斗１０５の引き出し方向が、異なる方向となるようにしている。
【００６７】
なお、図１（ａ）（ｂ）、図１１（ａ）〜（ｃ）及び図１２に示した収納家具１は、一部の例に過ぎず、本発明はこれらに限定するものではない。例えば、本発明の枠体は、左右の外側板２、２と背面板１１２を一体で形成し、これに天板５と地板４を取り付けた形態や、左右の外側板２、２と天板５を一体で形成し、これに地板４と背面板１１２を取り付けた形態であってもよい。
【００６８】
上述の説明では、１組の外側板２，２と、各１枚の地板４、天板５で構成された収納家具１について説明したが、本発明は、中側板３と増連用連結部材７を用いて枠体を左右に増連する収納家具１の場合にも適用できるため、次にこの増連する場合の形態について説明する。
【００６９】
図１３に示す収納家具１は、左右に配置する外側板２，２と、これら外側板２，２の間に配置する１または複数の中側板３と、複数の地板４及び天板５とを互いに直交するように端用連結部材６及び増連用連結部材７とを介して着脱自在に連結したものである。この収納家具１は、中側板３、地板４及び天板５の数によって任意の数だけ枠体が増連可能である。
【００７０】
中側板３の基本形は、図１４及び図１５に示すように、同形状に形成された平板２０、２０がその前後及び上下を逆にして固着され、全体として奥行き寸法Ｄとなるように形成されている。平板２０の略中央部には、コ字状に屈曲され上下方向に延びる補強部２１が形成され、２枚の平板２０，２０は、補強部２１どうしが対向するようにスポット溶接されることで、中央嵌合部２３を構成している。そして、中側板２０の前後端縁に沿って上下に延びるように、略Ｔ字状の前端段部２４と後端段部２５とを設けている。この前端段部２４と後端段部２５とは、平板２０の一方の縁片を断面Ｌ字状に折曲げて形成した屈曲部２０ａと、平板２０の片面にスポット溶接して固定する金属板製の断面Ｌ字状に折曲げた前後端補強枠２６とにより構成される。そして、前記Ｔ字状の前後両端部２４，２５は中側版３の間口前面に沿って延びる高さ寸法Ｌ１の低い端部２７と、該端部２７の奥側（収納家具の奥行き側の内方）にて高さ寸法Ｌ２の大きい段付き部２８とにより形成されている。従って、段付き部２８と屈曲部２０ａによる段部の高さ寸法Ｌ３（＞Ｌ２）となり、前端段部２４と後端段部２５とは略Ｔ字状で中空の嵌合部が形成される。低い端部の奥行き寸法は、中側板３の表裏面でいずれもＤ１となっている。
【００７１】
平板２０では、補強部２１と屈曲部２０ａの間に断面コ字状に屈曲させて段部２１ａを設け、この段部２１ａと補強部２１との間には、窪み部２１ｂが形成される。また、平板２０では、屈曲部２０ａと反対側の縁片を断面コ字状に屈曲させて段部２３ａを設け、この段部２３ａと補強部２１との間に、窪み部２３ｂが形成される。
【００７２】
また、補強部２１では、その前後で平板２０の屈曲の高さが異なるため、補強部２１と段付部２８との間には、深さ寸法Ｌ４の凹所（その中間部に段部２３ａを含む）が形成され、補強部２１と屈曲部２０ａとの間には、深さ寸法Ｌ５（＜Ｌ４）の凹所（その中間部に段部２１ａを含む）が形成される。すなわち、中側板３では、平板２０の表裏面に２箇所ずつ、計４箇所の凹所が形成されるが、同一平面の２箇所の凹所では、それぞれ深さ寸法が異なる（Ｌ４、Ｌ５）とともに、表面の深さ寸法Ｌ４の凹所に対応する裏面の凹所では深さ寸法Ｌ５となり、表面の深さ寸法Ｌ５に凹所に対応する裏面の凹所では深さ寸法Ｌ４となっている。
【００７３】
増連用連結部材７は、図１４に示すように、端用連結部材６とほぼ同じ形態で、Ｄの長さを有して奥行き方向に延びる細長い基体４０を有する。基体４０の前後両端部には、それぞれ第１端嵌入片４１ａ、４１ｂと、第２端嵌入片４２ａ、４２ｂと、中央嵌入片４３ａ、４３ｂとが互いに直交する方向に突出するように設けられている。また、実施形態では、増連用連結部材７も基体４０の長手方向の中央に対して左右対称形状に形成されている。
【００７４】
断面Ｌ字状の第２端嵌入片４２ａ、４２ｂは、地板４及び天板５における前後端の略Ｌ字状で中空の嵌合部を有する前端段部１１と後端段部１２にそれぞれ左右方向（間口方向）から嵌入できるものである。第１端嵌入片４１ａ、４１ｂは、基体４０から前記第２端嵌入片４２ａ、４２ｂの突出方向と直交する方向に一体的に突出する断面略矩形状のものであって、端用連結部材６と増連用連結部材７とを背中合わせにした状態で、中側板３における断面Ｔ字状の前端段部２４及び後端段部２５の一部、すなわち前記屈曲部２０ａの中空部内に上下方向からきっちりと嵌入できるものである。
【００７５】
中央嵌入片４３ｂは、地板４及び天板５における中央嵌合部１７に対して横方向からきっちりと嵌入できるものであり、中央嵌入片４３ａは、端用連結部材６と増連用連結部材７とを背中合わせにした状態で、端用連結部材６における中央嵌入片３３ａとともに中側板３における中央嵌合部２３に対して上下方向からきっちりと嵌入できるものである。
【００７６】
この中側板３の内面に取り付けられる取付枠５０は、図１５に示すように２種類ある。中側板３の深さ寸法Ｌ４の凹所には、外側板２に取り付ける取付枠５０ｂがそのまま利用され、段付部２８と段部２３ａの間に嵌め込まれる。一方、中側板３の深さ寸法Ｌ５の凹所には、前述の取付枠５０ａを深さ寸法Ｌ５用に変更した取付枠５０ｃが、屈曲部２０ａと補強部２１との間に、段部２１ａの凸形状を覆うように嵌め込まれる。そして、取付枠５０ｂの切り欠き部５３によって、窪み部２３ｂの下方が露出するため、抽斗１０５の引き出し方向に応じた位置の窪み部２３ｂの内部に二重抽斗防止装置６０が取り付けられる。
【００７７】
そのため、増連により中側板３、３が対向するよう左右に配置された収納空間では、取付枠５０ｃが左中側板３の前側の凹所と右中側板３の後側の凹所の双方に用いられ、取付枠５０ｂが左中側板３の後側の凹所と右中側板３の前側の凹所の双方に用いられる。
【００７８】
このように、中側板３、３が対向した場合でも、外側板２，２が対向した場合と同様に、対向する内面どうしでは、取付枠は、側板に対する取付位置の前後を変えること（たすき掛け状に）で交換可能であるので、４箇所の凹所であっても２つの取付枠で対応でき、取付枠の共用化による部品点数の削減が可能である。また、外側板２と中側板３でも、図１５に示すように、取付枠５０ｂを共用することができるので、さらに取付枠の部品点数の削減が可能となる。
【００７９】
本発明の他の実施の形態としては、図１６（ａ）（ｂ）に示すように、抽斗用取付部５１を有する取付枠５０ｆと棚板用取付部５２を有する取付枠５０ｅとを別個に形成し、これらを上下に並べて配置して外側板２または中側板３に装着する形態でもよい。図１６（ａ）は本発明の他の実施形態の取付枠の取り付けを示す斜視図で、図１６（ｂ）は取付枠に構造棚板を取り付けた状態の断面図である。
【００８０】
この実施の形態では、図１６（ａ）（ｂ）に示すように、棚板用取付部５２からなる棚板用の取付枠５０ｅの下端面と、抽斗用取付部５１からなる抽斗用の取付枠５０ｆの上端面が付き合わされて、外側板２の凹所に装着されている。これら取付枠５０ｅ、５０ｆは図１６（ａ）のように上下端面を当接させて上下に重ねることで、地板４と天板５の間の高さ寸法にきっちり収まるように構成されている。
【００８１】
そして、取付枠５０ｅ、５０ｆの境界部分に構造棚板８の側面を当接させ、この側面に切り欠き形成された係止溝８４を取付枠５０ｆに設けられたねじ孔５５に一致させてビス８５によりねじ止めすることで、構造棚板８が固定されるとともに、取付枠５０ｅ、５０ｆが外側板２側へ押し付け固定される。なお、構造棚板８は、ビス８５によって取付枠５０ｆに固定されているが、中央補強枠１６にビス止めする場合もある。
【００８２】
また、この他の実施の形態としては、図１７（ａ）（ｂ）に示すように、抽斗用取付部５１を有する取付枠５０ｈと棚板用取付部５２を有する取付枠５０ｇとを別個に形成し、これらを構造棚板８を挟んで対向するように上下に配置する形態でもよい。図１７（ａ）は本発明の他の実施形態の取付枠の取り付けを示す斜視図で、図１７（ｂ）は取付枠に構造棚板を取り付けた状態の断面図である。
【００８３】
この実施の形態は、図１７（ａ）（ｂ）に示すように、棚用取付部５２からなる棚板用の取付枠５０ｇと、抽斗用取付部５１からなる抽斗用の取付枠５０ｈとが、構造棚板８の一部を挟んで対向するように上下に配置され、外側板２の凹所に装着されている。構造棚板８には、外側板２（中側板３の場合もある）側の凹所に面した側面から、凹所側に突出する突出部８６が設けられている。そして、取付枠５０ｇ、５０ｈ、及び構造棚板８の突出部８６は、これらを当接させて上下に重ねることで地板４と天板５の間の高さ寸法にきっちり収まるように構成されている。
【００８４】
突出部８６は、断面コ字状に下方に折り曲げ形成された金属板によって形成されており、構造棚板８の広幅面で凹所側に開放するように形成された窪みにスポット溶接されている。この突出部８６の上面と構造棚板８の上面は同一平面となっている。そして、構造棚板８の側面に切り欠き形成された係止溝８４を取付枠５０ｈに設けられたねじ孔５５に一致させてビス８５によりねじ止めすることで、構造棚板８が固定されるとともに、取付枠５０ｈが外側板２側へ押し付け固定される。また、取付枠５０ｇは、断面コ字状に形成されており、その形状による弾性で外側板２の凹所に保持されるようになっている。なお、構造棚板８は、ビス８５によって取付枠５０ｈに固定されているが、中央補強枠１６にビス止めする場合もある。
【００８５】
これら図１６（ａ）（ｂ）及び図１７（ａ）（ｂ）に示された他の実施の形態でも側板２（３）、地板４、天板５で構成された１つの収納空間内に、抽斗や棚板を自由に組み合せて配置することができる。
【００８６】
【発明の作用・効果】
以上に詳述したように、請求項１に記載の発明の組立式収納家具は、左右に配置された側板と、地板及び天板とにより枠体を構成し、当該枠体で囲まれる空間を収納空間とする組立式収納家具であって、前記収納空間に１または複数の抽斗を取り付けるための抽斗用取付部と、前記収納空間に１または複数の棚板を取り付けるための棚板用取付部とが、上下に配置されて一体で形成された取付枠が、前記側板の内面に着脱可能に装着されるように構成したことを特徴とするものである。これによれば、抽斗用取付部と棚板用取付部とを一体で備えた取付枠を配置するだけで、枠体で囲まれる収納空間内に、簡単に抽斗と棚板の双方の取り付けが可能となる。
【００８７】
また、請求項２に記載の発明は、請求項１記載の組立式収納家具において、前記取付枠は、前記側板の内面の前側と後側に間隔をあけて各々装着され、前側及び後側の取付枠のうち少なくとも一方には、１つの抽斗の引き出し時に他の抽斗の引き出し動が不能となる二重引出防止装置を枠体に取り付けるための構造が設けられていることを特徴とするものである。これによれば、抽斗が多段に配置された場合に二重引出防止装置を取り付けると、一方の抽斗が引き出し状態にある場合に他の抽斗が引き出し動することを防止することができるため、二重引き出しによる枠体の前方向への転倒を防止することができ、安全性が向上される。
【００８８】
また、請求項３に記載の発明は、請求項２記載の組立式収納家具において、前記左右に配置された各側板の内面の前側と後側に装着される取付枠のうち、左側板の前側用の取付枠は右側板の後側用の取付枠と交換可能であるとともに、左側板の後側用の取付枠は右側板の前側用の取付枠と交換可能であることを特徴とするものである。これによれば、対向する側板間では、取付枠の装着箇所が４箇所設けられているが、取付枠の共用化により２種類の取付枠で対応できるため、部品点数の削減ができ、製造や在庫管理の効率化が可能となる。
【００８９】
また、請求項４に記載の発明は、請求項１から３のいずれかに記載の組立式収納家具において、前記取付枠には、前記抽斗用取付部が棚板用取付部の下方に配置されていることを特徴とするものである。これによれば、一般的に抽斗は収納空間に下方に、棚板は上方に配置されるほうが、それぞれの機能上好都合であるため、あらかじめ抽斗取付部を棚板用取付部の下方に配置して取付枠を構成しておくことで、使用頻度の高い取付枠を提供することができる。
【００９０】
そして、請求項５に記載の発明の組立式収納家具は、左右に配置された側板と、地板及び天板とにより枠体を構成し、当該枠体で囲まれる空間を収納空間とする組立式収納家具であって、前記収納空間に１または複数の抽斗を取り付けるための抽斗用取付枠と、前記収納空間に１または複数の棚板を取り付けるための棚板用取付枠とが上下に配置されて前記側板の内面に着脱可能に装着されるように構成したことを特徴とするものである。これによれば、抽斗用取付枠と棚板用取付枠とを上下に配置するだけで、枠体で囲まれる収納空間内に、簡単に抽斗と棚板の双方の取り付けが可能となる。
【図面の簡単な説明】
【図１】（ａ）及び（ｂ）は本発明の組立式収納家具の平面図である。
【図２】天板、地板、外側板、端用連結部材の各部品の斜視図である。
【図３】一対の外側板を対向して配置した場合の断面図である。
【図４】（ａ）は天板の断面図、（ｂ）は地板の断面図である。
【図５】取付枠の取り付けを示す斜視図である。
【図６】（ａ）は抽斗用のレールの取り付けを示す斜視図、（ｂ）は抽斗用のレールの取り付けを示す要部断面図である。
【図７】（ａ）は中間棚板の取り付けを示す斜視図、（ｂ）は中間棚板の取り付けを示す要部断面図である。
【図８】（ａ）は二重抽斗防止装置の平面図、（ｂ）は二重引出防止装置の断面図である。
【図９】（ａ）は他の抽斗が押し込み状態で、１つの抽斗を引き出し始める状態の作用説明図、（ｂ）は１つの抽斗の抽斗量が増大した状態の作用説明図である。
【図１０】縦仕切板の取り付けを示す斜視図である。
【図１１】（ａ）、（ｂ）及び（ｃ）は組立式収納家具を応用した形態の平面図である。
【図１２】組立式収納家具を応用した形態の平面図である。
【図１３】中側板により増連した組立式収納家具の平面図である。
【図１４】天板、地板、外側板、中側板、端用連結部材、増連用連結部材の各部品の斜視図である。
【図１５】増連した状態における外側板及び中側板の断面図である。
【図１６】（ａ）は本発明の他の実施形態の取付枠の取り付けを示す斜視図、（ｂ）は取付枠に構造棚板を取り付けた状態の断面図である。
【図１７】（ａ）は本発明の他の実施形態の取付枠の取り付けを示す斜視図、（ｂ）は取付枠に構造棚板を取り付けた状態の断面図である。
【符号の説明】
１      組立式収納家具
２      外側板
３      中側板
４      地板
５      天板
６      端用連結部材
７      増連用連結部材
８、８ａ  構造棚板
１０    平板
１０ａ  屈曲部
１１    前端段部
１２    後端段部
１３    前後端補強枠
１４    端部
１５    段付部
１６    中央補強枠
１６ａ  段部
１６ｂ  窪み部
１７    中央嵌合部
１８    補助嵌合部
２０    平板
２０ａ  屈曲部
２１    補強部
２１ａ  段部
２１ｂ  窪み部
２３    中央嵌合部
２３ａ  段部
２３ｂ  窪み部
２４    前端段部
２５    後端段部
２６    補強枠
２７    端部
２８    段付き部
２９    取付枠
３０    基体
３１ａ、３１ｂ、４１ａ、４１ｂ  第１端嵌入片
３２ａ、３２ｂ、４２ａ、４２ｂ  第２端嵌入片
３３ａ、３３ｂ、４３ａ、４３ｂ  中央嵌入片
５０ａ、  取付枠
５１    抽斗用取付部
５２    棚板用取付部
５３    切り欠き部
５４    係止孔
５５    ねじ孔
６０    二重引出防止装置
６１    縦杆
６２    ロック体
６３    案内体
６４    第１傾斜案内面
６５    第２傾斜案内面
６６    落下防止片
６７    基体
６８    係合爪
６９    当接傾斜面
７０    安定面
７１    スライダ条
７２    切り欠き部
７３    上面
７４    落ち込み部
７４ａ  平坦底面
７４ｂ、７４ｃ  傾斜面
７５    ストッパ体
７５ａ  下傾斜面
７６    押し上げ体
８１    開放収納空間
８２    前端縁部
８３    後端縁部
８４    係止溝
８５    ビス
９０    縦仕切板
９１    前端縁部
１０２  係止孔
１０３  中間棚板
１０４  棚板受け具
１０５  抽斗
１０６  レール用孔
１０７  固定レール
１０７ｂ  中間レール
１０８  係止片
１１０  開閉扉
１１１  引き戸
１１２  背面板
【図１】
2004248992.tif 000003
【図２】
2004248992.tif 000004
【図３】
2004248992.tif 000005
【図４】
2004248992.tif 000006
【図５】
2004248992.tif 000007
【図６】
2004248992.tif 000008
【図７】
2004248992.tif 000009
【図８】
2004248992.tif 000010
【図９】
2004248992.tif 000011
【図１０】
2004248992.tif 000012
【図１１】
2004248992.tif 000013
【図１２】
2004248992.tif 000014
【図１３】
2004248992.tif 000015
【図１４】
2004248992.tif 000016
【図１５】
2004248992.tif 000017
【図１６】
2004248992.tif 000018
【図１７】
2004248992.tif 000019